【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
一端に分岐母線、他端に断路器を接続され、主母線と送電線を接続する横置形遮断器を有する送電線回線用ガス絶縁開閉ユニットと、一端に前記主母線に接続する分岐母線、他端に変圧器に接続する分岐母線が接続され、前記主母線と前記変圧器を接続する遮断器を有する変圧器回線用ガス絶縁開閉ユニットとを備え、前記送電線回線用ガス絶縁開閉ユニットを構成する前記分岐母線は、前記横置形遮断器の垂直面上側に位置するように配設されていることを特徴とするガス絶縁開閉装置。
【請求項２】
請求項１において、前記送電線回線用ガス絶縁開閉ユニットの横置形遮断器は、前記分岐母線の遮断器接続端折曲部とによって垂直面でＬ字状を形成することを特徴とするガス絶縁開閉装置。
【請求項３】
一端に主母線に接続する分岐母線、他端に断路器を接続され、主母線と送電線を接続する横置形遮断器を有する送電線回線用ガス絶縁開閉ユニットと、一端に前記主母線に接続する分岐母線、他端に変圧器に接続する分岐母線が接続され、前記主母線と前記変圧器を接続する横置形遮断器を有する変圧器回線用ガス絶縁開閉ユニットとを備え、前記両ガス絶縁開閉ユニットを構成する前記主母線に接続する分岐母線は、それぞれ横置形遮断器の垂直面上側に位置するように配設されていることを特徴とするガス絶縁開閉装置。
【請求項４】
２重の主母線と、一端に前記主母線に接続する分岐母線、他端に断路器を接続され、前記主母線と送電線を接続する横置形遮断器を有する送電線回線用ガス絶縁開閉ユニットと、一端に前記主母線に接続する分岐母線、他端に変圧器に接続する分岐母線が接続され、前記主母線と前記変圧器を接続する横置形遮断器を有する変圧器回線用ガス絶縁開閉ユニットと、一端が分岐母線を介して前記一方の主母線に接続され、他端が分岐母線を介して前記他方の主母線に接続される遮断器を有する母線連絡用ガス絶縁開閉ユニットとを備え、前記両ガス絶縁開閉ユニットを構成する前記主母線に接続する分岐母線は、それぞれ横置形遮断器の垂直面上側に位置するように配設されていることを特徴とするガス絶縁開閉装置。
【請求項５】
一端に分岐母線、他端に断路器を接続され、主母線と送電線を接続する横置形遮断器を有する送電線回線用ガス絶縁開閉ユニットであって、前記分岐母線は、前記横置形遮断器の垂直面上側に位置するように配設されていることを特徴とする送電線回線用ガス絶縁開閉ユニット。
【請求項６】
請求項５において、前記横置形遮断器は、前記分岐母線の遮断器接続端折曲部とによって垂直面でＬ字状を形成することを特徴とする送電線回線用ガス絶縁開閉ユニット。
【請求項７】
一端に主母線に接続する分岐母線、他端に変圧器に接続する分岐母線が接続され、前記主母線と前記変圧器を接続する横置形遮断器を有する変圧器回線用ガス絶縁開閉ユニットであって、前記主母線に接続する分岐母線は、前記横置形遮断器の垂直面上側に位置するように配設されていることを特徴とする変圧器回線用ガス絶縁開閉ユニット。
【請求項８】
請求項７において、前記横置形遮断器は、前記分岐母線の遮断器接続端折曲部とによって垂直面でＬ字状を形成することを特徴とする変圧器回線用ガス絶縁開閉ユニット。
【手続補正２】
【補正対象書類名】明細書
【補正対象項目名】０００８
【補正方法】変更
【補正の内容】
【０００８】
従来技術は、送電線回線用ガス絶縁開閉ユニットの遮断器を横置形にしているが、上面観がコ字状（横置形遮断器と２本の分岐母線における折曲部の形状）にして分岐母線に接続している。分岐母線が遮断器間に配設されるので、３相各相の遮断器は離して配置しなければならなくなる。そのために遮断器と略直線上に配置される断路器も各相離れてしまい、３相の断路器を１台の操作器で操作することが難しくなり３相各相の断路器毎に操作器を設けることが必要になる。したがって、断路器の操作が面倒になり、かつコストが大になるという問題点を有する。
【手続補正３】
【補正対象書類名】明細書
【補正対象項目名】００１０
【補正方法】変更
【補正の内容】
【００１０】
本発明の特徴とするところは、一端が分岐母線を介して主母線に接続され、他端が断路器を介してブッシングに接続される送電線回線用ガス絶縁開閉ユニットの横置形遮断器は、主母線に接続する分岐母線が垂直面上側に位置するように配設されていることにある。横置形遮断器は、分岐母線の遮断器接続端折曲部とによって垂直面でＬ字状を形成して断路器を接続することになる。
【手続補正４】
【補正対象書類名】明細書
【補正対象項目名】００１１
【補正方法】変更
【補正の内容】
【００１１】
本発明は、送電線回線用ガス絶縁開閉ユニットの横置形遮断器は、主母線に接続する分岐母線が垂直面上側に位置するように配設されているので各相の遮断器を近接して配置することができる。したがって、３相の断路器は1台の操作器で３相一括操作できるので、断路器の操作を簡単に行え、コスト低減を図ることができる。
【手続補正５】
【補正対象書類名】明細書
【補正対象項目名】００１３
【補正方法】変更
【補正の内容】
【００１３】
主母線は２重母線に構成されている。送電線回線用ガス絶縁開閉ユニットの横置形遮断器は、一端が分岐母線と断路器を介して主母線に接続され、他端が断路器と分岐母線を介して送電線に接続される。送電線回線用ガス絶縁開閉ユニットの横置形遮断器は、主母線に接続する分岐母線が垂直面上側に位置するように配設されている。変圧器回線用ガス絶縁開閉ユニットは、一端が分岐母線と断路器を介して主母線に接続され、他端が分岐母線を介して変圧器に接続される遮断器を有する。母線連絡用ガス絶縁開閉ユニットは、一端が分岐母線を介して２重母線の一方の主母線に接続され、他端が分岐母線を介して他方の主母線に接続される遮断器を有する。送電線回線用絶縁開閉ユニットの横置形遮断器は、分岐母線の遮断器接続端折曲部とによって垂直面でＬ字状を形成して断路器を接続し、母線連絡用ガス絶縁開閉ユニットの遮断器は両端の分岐母線が垂直面でコ字状に接続される縦置形で構成されている。
【手続補正６】
【補正対象書類名】明細書
【補正対象項目名】００１８
【補正方法】変更
【補正の内容】
【００１８】
分岐母線１３の線路側端（遮断器接続端）は横置形遮断器１４の上側（垂直面上側）に位置しており垂直に折曲されて遮断器１４の母線側端に接続される。分岐母線１３における線路側端の折曲部はＬ字の短足部を形成する。横置形遮断器１４の他端（線路側端）は横置形遮断器１４と水平配置されている線路側断路器１５の一端（母線側端）に接続される。断路器１５は断路器容器に収納配置されている。
【手続補正７】
【補正対象書類名】明細書
【補正対象項目名】００２２
【補正方法】変更
【補正の内容】
【００２２】
図３において、主母線１、２には母線側断路器２１，２２の一端（母線側端）が接続されている。断路器２１，２２は断路器容器に収納されている。断路器２１，２２の他端（変圧器端）は分岐管に収納されている分岐母線２３によって横置形遮断器２４の一端（母線側端）に接続される。遮断器２４は遮断器容器に収納されている。
【手続補正８】
【補正対象書類名】明細書
【補正対象項目名】００２３
【補正方法】変更
【補正の内容】
【００２３】
分岐母線２３の変圧器側端（遮断器接続端）は横置形遮断器２４の上側（垂直面上側）に位置しており垂直に折曲されて遮断器２４の一端（母線側端）に接続される。分岐母線２３における変圧器側端の折曲部はＬ字の短足部を形成する。横置形遮断器２４の他端（変圧器側端）は分岐母線２５の母線側端に接続される。分岐母線２５は分岐管に収納配置されている。
【手続補正９】
【補正対象書類名】明細書
【補正対象項目名】００３２
【補正方法】変更
【補正の内容】
【００３２】
本発明のガス絶縁開閉装置は以上のように構成されており、送電線回線用ガス絶縁開閉ユニットの横置形遮断器は、主母線に接続する分岐母線が垂直面上側に位置するように配設されているので各相の遮断器を近接して配置することができる。したがって、３相の断路器は1台の操作器で３相一括操作できるので、断路器の操作を簡単に行え、コスト低減を図ることができる。
【手続補正１０】
【補正対象書類名】明細書
【補正対象項目名】００３３
【補正方法】変更
【補正の内容】
【００３３】
また、上述の実施例は変圧器回線用ガス絶縁開閉ユニットが横置形と縦置形の遮断器を用いるようにしているので変圧器の端子位置高さに簡単に対応することができる。
【手続補正１１】
【補正対象書類名】図面
【補正対象項目名】図１
【補正方法】変更
【補正の内容】
【図１】
2005130657.tif 000001